(57)【特許請求の範囲】
【請求項１】
浴室の出入口側に流れる浴室床の排水を、当該出入口に設けた建具の近傍に配設した複数の水抜き孔を介して下方に流下させ、排水管に連なる排水貯留部に導くようにした浴室の排水構造において、
前記建具の近傍に配設した前記複数の水抜き孔の全てを、前記建具の見付け方向の戸先側に寄った位置に集約的に配設したことを特徴とする浴室の排水構造。
【請求項２】
浴室の出入口側に流れる浴室床の排水を、当該出入口に設けた建具の近傍に配設した複数の水抜き孔を介して下方に流下させ、排水管に連なる排水貯留部に導くようにした浴室の排水構造において、
前記建具の近傍に配設した前記複数の水抜き孔の全てを、前記建具の見付け方向の両側にそれぞれ集約的に配設したことを特徴とする浴室の排水構造。
【請求項３】
浴室の出入口側に流れる浴室床の排水を、当該出入口に設けた建具の近傍に配設した複数の水抜き孔を介して下方に流下させ、排水管に連なる排水貯留部に導くようにした浴室の排水構造において、
前記建具の近傍に配設した前記複数の水抜き孔の全てを、前記建具の見付け方向の両側および中間にそれぞれ集約的に配設したことを特徴とする浴室の排水構造。
【請求項４】
前記複数の水抜き孔の総開口面積は、前記排水管の有効排水面積よりわずかに広いことを特徴とする請求項１、２または３に記載の浴室の排水構造。
【請求項５】
前記各水抜き孔は、排水に混入したゴミの排水貯留部側への流下を阻止するフィルタの機能を有していることを特徴とする請求項１ないし４のいずれかに記載の浴室の排水構造。
【請求項６】
前記複数の水抜き孔は、所定数の水抜き孔から成る水抜き孔群を単位として配設されていることを特徴とする請求項５に記載の浴室の排水構造。
【請求項７】
前記排水床と前記建具の下枠との間には、ブリッジプレートが水密に掛け渡されており、
前記複数の水抜き孔は、前記ブリッジプレートに貫通形成されていることを特徴とする請求項１ないし５のいずれかに記載の浴室の排水構造。
【請求項８】
前記複数の水抜き孔は、所定数の水抜き孔から成る水抜き孔群を単位としてユニット化されており、
このユニット化された水抜きユニットは、前記ブリッジプレートに形成した貫通開口に着脱自在に装着されていることを特徴とする請求項７に記載の浴室の排水構造。
【請求項９】
前記排水床の上面と前記建具の下枠の上面とが、略面一に配設されていることを特徴とする請求項１ないし８のいずれかに記載の浴室の排水構造。
【発明の詳細な説明】
【０００１】
【発明の属する技術分野】
本発明は、例えばバリアフリーを考慮したユニット構造の浴室において、その出入口を構成する建具廻りの排水構造に関するものである。
【０００２】
【従来の技術】
ユニットバス（浴室）の出入口において、車椅子の身障者や高齢者がつまずくのを防止すべく、建具の下枠と浴室床とを面一にしてバリアフリーな構造にすると、浴室床の排水が下枠を越えて脱衣室側に漏水し易くなる不具合が生ずる。特に、浴槽から湯が溢れると、多量の排水が走り水となって洗い場を建具側に勢いよく流れ、閉塞状態の建具からしみ出すように脱衣室側に漏水する。
かかる不具合を解消すべく、下枠に隣接して、浴室床にグレーチングで閉蓋した排水溝を設けたものが知られている（例えば実開平１−１１８０７２号公報）。この場合、グレーチングには、多数の水抜き孔が形成されており、建具側に流れてくる排水は、この水抜き孔から排水溝に流下する。この場合、多数の水抜き孔は、所望のパターンに従って、グレーチングの長辺方向や短辺に均等なピッチで配設されている。
【０００３】
【発明が解決しようとする課題】
ところで、上記の走り水は、建具に達したときに建具の見付け方向において、均一な量で流れてくるわけではない。すなわち、建具の間口（幅）は、ユニットバス（防水パンの部分）の幅より狭い設計になっており、建具の両側に達する走り水は、建具側に回り込んで流れてくる分を含むため、他の部分に比較してその量が多くなる。一方、縦枠との当たり部分となる建具の両側部は、止水性や防水性が構造的に低下し易い部分となる。特に戸先側は、頻繁な開閉動作による防水部材の劣化や閉塞不良などを考慮すると、最も止水性や防水性に関し弱い部分となる。
したがって、従来の、グレーチング構造のように、多数の水抜き孔を均等なピッチで形成すると、建具を考慮した良好な排水性能が得られなくなる問題が生ずる。もちろん、水抜き孔の数や大きさで、グレーチングの総排水面積を大きくすればかかる問題は解消する。しかし、このようにすると、多量の排水を排水溝が呑みきれなくなり、排水が防水パン側に逆流するなどの不具合を生ずる。また、グレーチングの水抜き孔が大きいと浴室内の足着き性が悪化したり、意匠的な違和感が生ずる。
【０００４】
本発明は、建具各部の防水性を考慮した状態で、浴室の建具廻りの排水を排水貯留部に円滑に導くことができる浴室の排水構造を提供することをその目的としている。
【０００５】
【課題を解決するための手段】
本発明の浴室の排水構造は、浴室の出入口側に流れる浴室床の排水を、出入口に設けた建具の近傍に配設した複数の水抜き孔を介して下方に流下させ、排水管に連なる排水貯留部に導くようにした浴室の排水構造において、建具の近傍に配設した複数の水抜き孔の全てを、建具の見付け方向の戸先側に寄った位置に集約的に配設したことを特徴とする。
【０００６】
この構成によれば、浴室の出入口側に流れる浴室床の排水は、建具の近傍において、建具の見付け方向の戸先側に寄った位置に集約的に配設した複数の水抜き孔により、集中的に排水される。このため、建具の戸先側には、他の部分に比して多量の排水が流れて来ても、これを排水貯留部に円滑に排水することができ、建具の戸先部分に排水が到達し難くくなる。
【０００７】
本発明の他の浴室の排水構造は、浴室の出入口側に流れる浴室床の排水を、出入口に設けた建具の近傍に配設した複数の水抜き孔を介して下方に流下させ、排水管に連なる排水貯留部に導くようにした浴室の排水構造において、建具の近傍に配設した複数の水抜き孔の全てを、建具の見付け方向の両側にそれぞれ集約的に配設したことを特徴とする。
【０００８】
この構成によれば、浴室の出入口側に流れる浴室床の排水は、建具の近傍において、建具の見付け方向の両側に集約的に配設した複数の水抜き孔により、集中的に排水される。このため、建具の両側には、他の部分に比して多量の排水が流れて来ても、これを排水貯留部に円滑に排水することができ、建具の両側部分に排水が到達し難くくなる。
【０００９】
本発明の他の浴室の排水構造は、浴室の出入口側に流れる浴室床の排水を、出入口に設けた建具の近傍に配設した複数の水抜き孔を介して下方に流下させ、排水管に連なる排水貯留部に導くようにした浴室の排水構造において、建具の近傍に配設した複数の水抜き孔の全てを、建具の見付け方向の両側および中間にそれぞれ集約的に配設したことを特徴とする。
【００１０】
この構成によれば、浴室床の排水は、建具の見付け方向の中間でも集中的に排水されるため、見付け方向の中間部分に召合わせ部のある引戸などの建具において、この召合わせ部分に排水が到達し難くくなる。
【００１１】
これらの場合、複数の水抜き孔の総開口面積は、排水管の有効排水面積よりわずかに広いことが、好ましい。
【００１２】
浴槽側の主排水管に向かって浴室床の下側をコロガシ配管される排水管は、その配管スペースの関係で太管を用いることができない。同様に、排水貯留部も、設置スペースや排水管の取付位置の関係で、大きくすることができない。この構成によれば、複数の水抜き孔の総開口面積を排水管の有効排水面積との関係で規制することにより、比較的小さな排水貯留部が、水抜き孔から流下する排水や、浴槽側の主排水管から逆流する排水で、溢れるのを防止することができる。
【００１３】
これらの場合、各水抜き孔は、排水に混入したゴミの排水貯留部側への流下を阻止するフィルタの機能を有していることが、好ましい。
【００１４】
この構成によれば、排水管の詰まりや排水貯留部内のゴミの堆積などを防止することができると共に、各水抜き孔はフィルタの機能を奏する程度に小さく形成されるため、浴室使用者が水抜き孔を踏んだときに、足着き性において違和感を生ずることがない。
【００１５】
この場合、複数の水抜き孔は、所定数の水抜き孔から成る水抜き孔群を単位として配設されていることが、好ましい。
【００１６】
この構成によれば、見付け方向の一部に水抜き孔を形成不可能部分があっても、これを逃げて水抜き孔をバランスよく配設することができる。また、水抜き孔のデザイン性を向上させることができる。
【００１７】
これらの場合、排水床と建具の下枠との間には、ブリッジプレートが水密に掛け渡されており、複数の水抜き孔は、ブリッジプレートに貫通形成されていることが、好ましい。
【００１８】
この構成によれば、排水床に水抜き孔を形成する場合に比して、水抜き孔を簡単に形成することができる。また、ブリッジプレートを着脱自在とすれば、水抜き孔の清掃や、これに連なる排水貯留部の清掃等も簡単に行うことができる。
【００１９】
この場合、複数の水抜き孔は、所定数の水抜き孔から成る水抜き孔群を単位としてユニット化されており、このユニット化された水抜きユニットは、ブリッジプレートに形成した貫通開口に着脱自在に装着されていることが、好ましい。
【００２０】
この構成によれば、ブリッジプレートに多数の小さな水抜き孔を形成する必要がなく、またブリッジプレートを汎用的なものとし、各種デザインの水抜きユニットをこれに装着することができる。さらに、水抜きユニットをブリッジプレートから取り外すことで、水抜き孔の清掃を簡単に行うことができる。
【００２１】
これらの場合、排水床の上面と前記建具の下枠の上面とが、略面一に配設されていることが、好ましい。
【００２２】
この構成によれば、浴室床の良好な排水性を維持した状態で、浴室使用者の浴室の出入りに際し、下枠が障害となることがない。
【００２３】
【発明の実施の形態】
以下、添付図面を参照して、本発明の一実施形態に係る浴室の排水構造について説明する。この浴室は、脱衣室との間に段差を無くしたバリアフリー設計のユニットバスで構成されており、図１は浴室（ユニットバス）の出入口廻りの縦断面図であり、図２はその横断面図である。両図に示すように、浴室Ａの出入口には、大引きＣで支持するように、３枚の引戸本体２とこれを開閉自在に支持する枠体３とから成る３枚引戸１が設けられている。この場合、浴室Ａの防水パン（浴室床）４と、後述する枠体３の下枠２２と、脱衣室Ｂの床５とはほぼ面一に、すなわち段差が生じないように配設されている。
【００２４】
本来、浴室Ａの洗い場における排水は、防水パン４の浴槽側に設けた図外の主排水金具から排水される。しかし、浴槽から湯（排水）が溢れる等の場合には、この排水の一部が下枠２２側に走り水となって流れる。そこで、この段差の無い床構造に対応して、防水パン４上を下枠２２側に流れる排水を、３枚引戸１の手前に設けた水抜き孔６から排水貯留槽７に流下させ、排水貯留槽７から排水管８に導くようにしている。また、水抜き孔６を越えて下枠２２の上面まで達した排水は、各引戸本体２と下枠２２との間で止水し、下枠２２で受けてから排水貯留槽７に流下させるようにしている。
【００２５】
排水貯留槽７は下枠２２に沿ってこれと平行に延在し、下枠２２と防水パン４とに跨るようにその下方に配設されている。防水パン４は、所定の間隙を存して下枠２２と対峙しており、この間隙を閉塞するように、防水パン４と下枠２２との間にはブリッジプレート９ａが掛け渡されている。そして、ブリッジプレート９ａに多数の水抜き孔６が形成され、水抜き孔６から流下した排水は上記の間隙を落下して排水貯留槽７に導かれる。
【００２６】
３枚引戸１の枠体３は、上枠２１、下枠２２および両縦枠２３を枠組みして構成され、また各引戸本体２は、それぞれ下部に換気口２４ａを作りこんだ框２４にガラスなどのパネル体２５を組み込んで構成されている。３枚の引戸本体２のうち図示右側の引戸本体２ａは、縦枠２３に固定されており、中間の引戸本体２ｂと左側の引戸本体２ｃとがスライドして、３枚引戸１が開閉される。左側の引戸本体２ｃには、バリアフリーを考慮した大型のハンドル２６が内外に取り付けられており、このハンドル２６を持って左側の引戸本体２ｃを開閉移動させると、中間の引戸本体２ｂもこれに連なって開閉移動する。
【００２７】
下枠２２は、３枚引戸１を直接支持すると共にその開閉を案内する下枠アタッチメント９ｂと、下枠アタッチメント９ｂを下側から受ける下枠本体２７とで、構成されている。下枠アタッチメント９ｂは上記のブリッジプレート９ａと一体に形成されており、ブリッジプレート９ａ側には、これを下側から受ける受け枠２８が配設されている。なお、下枠アタッチメント９ｂとブリッジプレート９ａとを別体としてもよい。そして、この受け枠２８と下枠本体２７とは、長手方向の複数箇所に設けた連結パイプ２９により、強固に連結されている。また、ブリッジプレート９ａの下側に位置して防水パン４の立下がり部４ａと受け枠２８との間には、シール部材３０が介設され、この部分の水密性が保持されている。
【００２８】
なお、一体に形成されたブリッジプレート９ａおよび下枠アタッチメント９ｂは、受け枠２８との間に介在した掛止め金具３１により、下枠本体２７および受け枠２８に対し、着脱自在に取り付けられており、３枚の引戸本体２を外した後、掛止め金具３１のレバー（図示省略）を引き上げることにより、取り外し得るようになっている。ブリッジプレート９ａおよび下枠アタッチメント９ｂを取り去ると、下枠本体２７の上面や排水貯留槽７が開放され、これらの内部清掃が可能になる。
【００２９】
下枠アタッチメント９ｂには、そのベースプレート３３上に、交互に立設した３本のレール部３４とシール片取付部３５とが形成され、且つレール部３４とシール片取付部３５との間に位置してベースプレート３３には、排水貯留槽７に連なる多数の排水孔（図示省略）が形成されている。各シール片取付部３５には、対応する引戸本体２の下端部に接触するシール片３６が取り付けられており、このシール片３６により、３枚引戸１を閉塞した状態で、上記の水抜き孔６を越えて来た排水が脱衣室Ｂ側に流れるのを止水している。そして、この各シール片３６から漏れた排水は、ベースプレート３３に受けられ、排水孔から排水貯留槽７に導かれる。
【００３０】
排水貯留槽７は、樹脂などで構成され、見込み方向の前後にそれぞれ段部７ａ，７ａを有すると共に、中央に排水を受ける溝部７ｂを有している。防水パン４側の段部７ａの内側には受け枠２８が着座すると共に、防水パン４の立下がり部４ａが当接且つ固着している。したがって、シール切れなどで上記のシール部材３０の部分から漏水が発生しても、これを前側の段部７ａで受け得るようになっている。同様に、脱衣室Ｂ側の段部の内側には下枠本体２７が着座している。そして、溝部７ｂには排水管８が接続されている。なお、排水貯留槽７の両小口端が、水密に閉塞されていることは、いうまでもない。
【００３１】
一方、ブリッジプレート９ａには、見付け方向に並べるように配置した多数の水抜き孔６が、所定の複数個を単位として形成されている。すなわち、横並びに近接配置した所定数の水拭き孔群６Ａを１単位と、この水拭き孔群６Ａの１または複数組が、３枚引き戸１の浴室Ａ側近傍に適宜、横並びに配設されている。なお、水拭き孔群６Ａの形態の詳細および配置パターンは、後述する。
【００３２】
次に、他の複数の実施形態について説明する。なお、以降の実施形態では、重複記載を省くため、第１実施形態と異なる部分のみ、説明する。図３および図４は、本発明の第２実施形態を示している。この実施形態では、出入口に建具として２枚の折戸本体５１と枠体５２とから成る折戸１０が設けられている。２枚の折戸本体５１はヒンジ部材５３で連結されており、折戸１０は、図示右側の折戸本体５１を中心にヒンジ部材５３の部分で、両折戸本体５１が浴室Ａ側に折り込まれるようにして、開閉される。
【００３３】
この場合、第１実施形態の下枠アタッチメント９ｂに相当する部分は、下枠本体２７に掛け止めされる短片部分となっており、折戸１０を受けるレール部４１は下枠本体２７のアタッチメント受け部４２と一体に形成されている。また、アタッチメント受け部４２の基部には、レール部４１を越えて漏れ出た排水を排水貯留槽７に導く排水孔（図示省略）が形成されている。
【００３４】
一方、折戸本体５１の下端部内面には、見込み方向前後に一対の上シール片４３，４３が吊設されており、浴室Ａ側の上シール片４３はレール部４１の前面に接触し、浴室Ａ側からの排水を止水している。また、脱衣室Ｂ側の上シール片４３は、折戸本体５１の下端部を回り込んで脱衣室Ｂ側まで延びており、この上シール片４３に、下枠本体２７から延びる下シール片４４が接触している。すなわち、排水は、浴室Ａ側の上シール片４３で止水され、且つ脱衣室Ｂ側の上シール片４３および下シール片４４で止水される。そして、この場合も、ブリッジプレート９ａには多数の水抜き孔６が形成されている。また、ブリッジプレート９ａは、下枠本体２７および受け枠２８に対し、着脱自在に取り付けられている（この場合には折戸本体５１を外す必要はない）。
【００３５】
図５および図６は、本発明の第３実施形態を示している。この実施形態では、出入口に建具としてドア本体６１と枠体６２とから成る浴室ドア１２が設けられている。ドア本体６１の図示右端部には、内外にレバー形式の一対のドアノブ（図示省略）が取り付けられ、ドア本体６１の左端部には、開閉のための中心軸となるピンヒンジ６３が設けられている。また、下側のピンヒンジ６３は、下枠本体２７に固定した「Ｌ」字状のヒンジ受け片６４に支持されている。この場合、第１実施形態の下枠アタッチメント９ｂに相当する部分は、一対の脚板片４５，４５を介してヒンジ受け片６４上に着座している。
【００３６】
一方、ドア本体６１の下端部には、見込み方向前後に一対のシール片４６，４６が吊設されており、浴室Ａ側のシール片４６は下枠アタッチメント９ｂの上面に接触し、脱衣室Ｂ側のシール片４６は下枠本体２７の上面に接触している。これにより、浴室Ａ側からの排水は、浴室Ａ側および脱衣室Ｂ側の２箇所で止水される。また、浴室Ａ側のシール片４６を通過し、或いは脱衣室Ｂ側のシール片４６で止水された排水は、下枠アタッチメント９ｂと下枠本体２７との間の間隙から、排水貯留槽７に導かれる。そして、この場合も、ブリッジプレート９ａには多数の水抜き孔６が形成されている。また、ブリッジプレート９ａは、下枠本体２７および受け枠２８に対し、着脱自在に取り付けられている（この場合にはドア本体５１を外す必要はない）。
【００３７】
ここで、図７ないし図１１を参照して、上記の実施形態に共通する水拭き孔６の構造および配置パターンについて説明する。図７（ａ）に示すように、水拭き孔群６Ａは、複数個の水拭き孔６を横並びに近接して配置したものであり、各水抜き孔６はスリット状に且つゴミなどを濾過し得る大きさに形成されている。なお、図示における各水抜き孔６は、長円形であるが長方形であってもよい。また、水拭き孔群６Ａ自体が、多数の円形または方形などの小孔の集合体であってもよい。そして、この水拭き孔群６Ａが適宜、建具（３枚引戸１、折戸１０、浴室ドア１２）の見付け方向に沿って１組或いは複数組、配設されている（同図（ｂ）参照）。
【００３８】
図８は、水拭き孔群６Ａの他の実施形態である。この実施形態では、水拭き孔群６Ａがユニット化され、水拭きユニット６Ｂとして、ブリッジプレート９ａに形成した貫通開口４８に着脱自在に装着されている。水拭きユニット６Ｂは樹脂などで目皿金具様に一体に形成され、内側に多数の水抜き孔６が形成されている（同図（ａ）参照）。そしてこの場合も、水拭きユニット（水拭き孔群６Ａ）６Ｂが適宜、建具（３枚引戸１、折戸１０、浴室ドア１２）の見付け方向に沿って１組或いは複数組、配設されている（同図（ｂ）参照）。
【００３９】
次に、図９、図１０および図１１を参照して、水拭き孔群（水拭きユニット６Ｂ）６Ａの配置パターンについて説明する。図９は、水拭き孔群６Ａを建具（３枚引戸１、折戸１０、浴室ドア１２）の戸先側に集約的に配設したものである。この場合、水拭き孔群６Ａの個数（組数）は、浴槽の大きさや洗い場の大きさから走り水の量を想定して設定され、或いは排水貯留槽７の貯留容量、排水管８の呑込み量等を考慮して設定される。特に、実施形態のようにユニットバスの設置スペースを考慮すると、排水貯留槽７を大きくすること、および排水管８を太径とすることは不可能なため、水拭き孔群６Ａの個数、すなわち水拭き孔６の総排水面積を比較的小さくし、排水貯留槽７からの排水の溢れや、浴槽側の主排水管（上記排水管８はこの主排水管に接続されている）からの逆流を防止する必要がある。このため、水拭き孔６の総排水面積が排水管８の有効排水面積よりわずかに大きいことが、好ましい。
【００４０】
このように、水拭き孔群６Ａを建具（３枚引戸１、折戸１０、浴室ドア１２）の戸先側に集約的に配設することにより、構造的に止水性や防水性が低下し易く、且つ建具の閉塞不良が想定される戸先側において、排水を集中的に行うことができる。したがって、建具の戸先側では、多量の排水が下枠２２まで達し難く、建具からの脱衣室Ｂ側への排水の漏れを有効に防水することができる。特に、３枚引戸１、図示しないが２枚引戸および片引戸などでは、戸先側が開閉に際し頻繁に突き当てられ、シール部分が劣化し易く、且つ不完全な閉塞状態が目立ち難いため、この配置パターンの適用が好ましい。また、浴室ドア１２でも同様である。
【００４１】
図１０は、水拭き孔群６Ａを建具（３枚引戸１、折戸１０、浴室ドア１２）の戸先側および戸尻側に集約的に配設したものである。この場合も、縦枠２３との関係で構造的に止水性や防水性が低下し易い戸先側および戸尻側では、多量の排水が下枠２２まで達し難く、建具からの脱衣室Ｂ側への排水の漏れを有効に防水することができる。したがって、この配置パターンは、上記の浴室ドア１２や図示しないが片引戸などに適用することが、特に有用である。もちろん、３枚引戸１、図示しないが２枚引戸および折戸１０にも有用である。
【００４２】
図１１は、水拭き孔群６Ａを建具（３枚引戸１、折戸１０、浴室ドア１２）の戸先側および戸尻側に加え、その中間にも集約的に配設したものである。図示以外でも、各種のバリエーションが考えられるが、この場合には、戸先側および戸尻側に加え、建具の見付け方向の中間についても、防水性を強化することができる。特に、戸先側と戸尻側の中間部分は、外側から回り込んで流れてきた走り水が合流する部分であり、中間部分の水拭き孔群６Ａは、この部分の排水に有効に機能する。また、召し合わせ部分を有する建具では、防水性に関し弱い部分となる召し合わせ部分に対応させて、中間部分に水拭き孔群６Ａを設けることが、有用である。したがって、この配置パターンは、上記の折戸１０、３枚引戸１および図示しないが２枚引戸などに適用することが、特に有用である。また、３枚引戸１にあっては、同図（ｅ）や（ｆ）の配置パターン、さらに同図（ｇ）の配置パターンが、より好ましい。
【００４３】
なお、以上の実施形態では、多数の水抜き孔を水抜き孔群単位で配置するようにしているが、単純に並べて配置してもよいことは、いうまでもない。また、水抜き孔をブリッジプレートに形成するようにしているが、下枠を浴室床側に延長しこれに水抜き孔を、或いは浴室床の下枠側の端部に水抜き孔を形成するようにしていもよい。さらに、ブリッジプレートと下枠アタッチメントを別体に形成してもよい。またさらに、本発明は、２枚引戸および片引戸などにも適用可能である。
【００４４】
【発明の効果】
以上のように本発明の浴室の排水構造によれば、複数の水抜き孔を、建具の見付け方向の戸先側に寄った位置、或いは両側に集約的に配設しているため、浴室床の排水は建具の戸先部分や両側部に到達し難くく、建具において水密的の弱い部分への排水の浸入を極力少なくすることができる。このため、水抜き孔の配置により、全体として建具の水密的を強化することができる。
【図面の簡単な説明】
【図１】第１実施形態に係る浴室の排水構造を適用した浴室出入口廻りの縦断面図である。
【図２】第１実施形態に係る浴室の排水構造を適用した浴室出入口廻りの横断面図である。
【図３】第２実施形態に係る浴室の排水構造を適用した浴室出入口廻りの縦断面図である。
【図４】第２実施形態に係る浴室の排水構造を適用した浴室出入口廻りの横断面図である。
【図５】第３実施形態に係る浴室の排水構造を適用した浴室出入口廻りの縦断面図である。
【図６】第３実施形態に係る浴室の排水構造を適用した浴室出入口廻りの横断面図である。
【図７】水抜き孔の形態および配置状態を表した平面図である。
【図８】他の実施形態にかかる水抜き孔の形態および配置状態を表した平面図である。
【図９】水抜き孔群の配置パターン（１）を示す説明図である。
【図１０】水抜き孔群の配置パターン（２）を示す説明図である。
【図１１】水抜き孔群の配置パターン（３）を示す説明図である。
【符号の説明】
１  ３枚引き戸、２  引き戸本体、３  枠体、４  防水パン、６  水抜き孔、６Ａ  水抜き孔群、６Ｂ  水抜きユニット７  排水貯留槽、８  排水管、９ａ  ブリッジプレート、９ｂ  下枠アタッチメント、１０  折戸、１２  浴室ドア、２２  下枠、２７  下枠本体、２８  受け枠、４８  貫通開口、Ａ  浴室、Ｂ  脱衣室
【図１】
0003558885.tif 000002
【図２】
0003558885.tif 000003
【図３】
0003558885.tif 000004
【図４】
0003558885.tif 000005
【図５】
0003558885.tif 000006
【図６】
0003558885.tif 000007
【図７】
0003558885.tif 000008
【図８】
0003558885.tif 000009
【図９】
0003558885.tif 000010
【図１０】
0003558885.tif 000011
【図１１】
0003558885.tif 000012